【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
シート（２）が載置される基盤（１０）と、載置されたシート（２）を基盤（１０）上に押し付けるための固定板（２０）と、円盤状の裁断刃（３）を装着したスライダ（３０）と、該スライダ（３０）がスライド可能に取り付けられると共に前記固定板（２０）が取り付けられたレール（４０）と、を含んで構成された裁断機（１）であって、
前記スライダ（３０）上面の前記裁断刃（３）の刃先を延長した部位に、他の部位とは異なる色を付し、当該異なる色の部位が、前記固定板（２０）の側縁部（２１）に位置するように、該スライダ（３０）を前記レール（４０）に取り付けたことを特徴とする裁断機。
【請求項２】
シート（２）が載置される基盤（１０）と、載置されたシート（２）を基盤（１０）上に押し付けるための固定板（２０）と、円盤状の裁断刃（３）を装着したスライダ（３０）と、該スライダ（３０）がスライド可能に取り付けられると共に前記固定板（２０）が取り付けられたレール（４０）と、を含んで構成された裁断機（１）であって、
前記スライダ（３０）上面の前記裁断刃（３）の刃先を延長した部位を、他の部位とは異なる触感の部材で構成し、当該異なる触感の部位が、前記固定板（２０）の側縁部（２１）に位置するように、該スライダ（３０）を前記レール（４０）に取り付けたことを特徴とする裁断機。
【請求項３】
シート（２）が載置される基盤（１０）と、載置されたシート（２）を基盤（１０）上に押し付けるための固定板（２０）と、円盤状の裁断刃（３）を装着したスライダ（３０）と、該スライダ（３０）がスライド可能に取り付けられると共に前記固定板（２０）が取り付けられたレール（４０）と、を含んで構成された裁断機（１）であって、
前記スライダ（３０）上面の前記裁断刃（３）の刃先を延長した部位を、他の部位とは異なる断面形状に構成し、当該異なる断面形状の部位が、前記固定板（２０）の側縁部（２１）に位置するように、該スライダ（３０）を前記レール（４０）に取り付けたことを特徴とする裁断機。
【請求項４】
前記固定板（２０）を透明部材で構成し前記側縁部（２１）のみを彩色したことを特徴とする請求項１〜請求項３のいずれか１つの請求項に記載の裁断機。
【請求項５】
前記スライダ（３０）は、前記レール（４０）に係合されて摺動される基台部（３１）と、側壁面（３２）にて前記裁断刃（３）を回転可能に収容する本体部（３３）と、該側壁面（３２）を覆って前記裁断刃（３）をカバーする蓋部（３４）と、を含んで構成され、
前記本体部（３３）は、前記基台部（３１）との間に介装された弾性部材（３６）によって上方に付勢されていることを特徴とする請求項１〜請求項４の何れか１つの請求項に記載の裁断機。
【請求項６】
前記レール（４０）を押し下げてロック部材（６０）で固定することで、前記基盤（１０）との間に、シート位置の微調整が可能な程度の隙間が形成されるように構成したことを特徴とする請求項１〜請求項５のいずれか１つの請求項に記載の裁断機。
【手続補正２】
【補正対象書類名】明細書
【補正対象項目名】０００１
【補正方法】変更
【補正の内容】
【０００１】
本発明は、紙などのシート材を裁断する裁断機に関し、特に、裁断位置の微調整が容易で、シートのずれを防止できる裁断機に関する。
【手続補正３】
【補正対象書類名】明細書
【補正対象項目名】０００５
【補正方法】変更
【補正の内容】
【０００５】
さらに、シート２を一旦固定してしまうと、再度ハンドル７０を操作して固定板２０の押圧を解除しない限り、裁断位置を変更することができないので、裁断の途中で位置の微調整を行なうことができない。
そこで、本発明は、位置調節されたシートを固定して正確に裁断することも、単一動作で手軽に裁断することも何れも可能であって、尚且つ、シートが裁断される位置を直感的に理解することができ、裁断位置の微調整が可能な裁断機の提供を目的とする。
【手続補正４】
【補正対象書類名】明細書
【補正対象項目名】０００６
【補正方法】変更
【補正の内容】
【０００６】
上記課題を解決するために、本発明は、シートが載置される基盤と、載置されたシートを基盤上に押し付けるための固定板と、円盤状の裁断刃を装着したスライダと、該スライダがスライド可能に取り付けられると共に前記固定板が取り付けられたレールと、を含んで構成された裁断機であって、前記スライダ上面の前記裁断刃の刃先を延長した部位に、他の部位とは異なる色を付し、当該異なる色の部位が、前記固定板の側縁部に位置するように、該スライダを前記レールに取り付けたことを特徴とするものである。
【手続補正５】
【補正対象書類名】明細書
【補正対象項目名】０００７
【補正方法】変更
【補正の内容】
【０００７】
また、本発明は、シートが載置される基盤と、載置されたシートを基盤上に押し付けるための固定板と、円盤状の裁断刃を装着したスライダと、該スライダがスライド可能に取り付けられると共に前記固定板が取り付けられたレールと、を含んで構成された裁断機であって、前記スライダ上面の前記裁断刃の刃先を延長した部位を、他の部位とは異なる触感の部材で構成し、当該異なる触感の部位が、前記固定板の側縁部に位置するように、該スライダを前記レールに取り付けたことを特徴とするものである。
【手続補正６】
【補正対象書類名】明細書
【補正対象項目名】０００８
【補正方法】変更
【補正の内容】
【０００８】
また、本発明は、シートが載置される基盤と、載置されたシートを基盤上に押し付けるための固定板と、円盤状の裁断刃を装着したスライダと、該スライダがスライド可能に取り付けられると共に前記固定板が取り付けられたレールと、を含んで構成された裁断機であって、前記スライダ上面の前記裁断刃の刃先を延長した部位を、他の部位とは異なる断面形状に構成し、当該異なる断面形状の部位が、前記固定板の側縁部に位置するように、該スライダを前記レールに取り付けたことを特徴とするものである。
前記固定板を透明部材で構成し前記側縁部のみを彩色してもよい。
【手続補正７】
【補正対象書類名】明細書
【補正対象項目名】０００９
【補正方法】変更
【補正の内容】
【０００９】
また、前記スライダは、前記レールに係合されて摺動される基台部と、側壁面にて前記裁断刃を回転可能に収容する本体部と、該側壁面を覆って前記裁断刃をカバーする蓋部と、を含んで構成され、前記本体部は、前記基台部との間に介装された弾性部材によって上方に付勢されたものであってもよい。
さらに、本発明に係る裁断機は、前記レールを押し下げてロック部材で固定することで、前記基盤との間に、シート位置の微調整が可能な程度の隙間が形成されるものであってもよい。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明に係る裁断機は、裁断刃の刃先を延長した部位を、スライダの他の部位とは異なる色で彩色し、その彩色した部位を固定板の側縁上に位置させたので、シートが裁断される位置を色覚によって直感的に理解することができ、裁断位置の誤りを防止することができる。
【手続補正１２】
【補正対象書類名】明細書
【補正対象項目名】００１４
【補正方法】変更
【補正の内容】
【００１４】
請求項２に係る裁断機は、裁断刃の刃先を延長した部位を、スライダの他の部位とは異なる触感の部材で構成したので、シートが裁断される位置を触覚によって理解することができるようになり、目の不自由な人でも正確な位置合せを行なうことができるようになる。
請求項３に係る裁断機は、裁断刃の刃先を延長した部位を、スライダの他の部位とは異なる断面形状に構成したので、シートが裁断される位置を視覚又は触覚によって直感的に理解することができ、裁断位置の誤りを防止することができる。
請求項４に係る裁断機は、固定板を透明部材で構成し、前記側縁部のみを彩色したので、シートの裁断位置が線状に示されることとなり、裁断位置の誤りを一層確実に防止することができる。
【手続補正１３】
【補正対象書類名】明細書
【補正対象項目名】００１５
【補正方法】変更
【補正の内容】
【００１５】
請求項５に係る裁断機は、スライダの裁断刃が弾性部材によって上方に付勢された状態となっているので、スライダを押圧することで裁断刃が下降され、シートを裁断可能な高さに裁断刃を位置させることができる。
請求項６に係る裁断機は、レールを押し下げてロック部材で固定することで、シート位置の微調整が可能な程度の隙間が基盤との間に形成されるので、大まかな位置合わせをしてレールを押し下げて固定した後で、基盤との間の隙間を介して精密な位置合わせを行うことができる。
また、固定板が基盤上に押し下げられる際の風圧によって生じたシートのズレを、隙間を介して是正することができる。
【手続補正１４】
【補正対象書類名】明細書
【補正対象項目名】００２１
【補正方法】変更
【補正の内容】
【００２１】
この枢支軸１５の設けられている部位には、レール４０を支持するための支持体５０が嵌め込まれており、この支持体５０に設けられた縦溝５１の中をリンクバー４３が回動する。
一対のリンクバー４３は同一長さに設計されているので、リンクバー４３の回動によって、平行部材４４は平行状態を維持しながら上下方向に移動する。アーム部材４２内部の天面部には２本のリブからなるガイド部４６が設けられており、そのガイド部４６内に平行部材４４が収容されている。これによって、リンクバー４３の回転運動が平行部材４４の上下運動に変換され、平行部材４４に支持されたレール４０が水平状態を維持しながら昇降される（図５参照）。
【手続補正１５】
【補正対象書類名】明細書
【補正対象項目名】００２３
【補正方法】変更
【補正の内容】
【００２３】
レール４０の下端部には、基盤１０上に載置されたシートを固定するための固定板２０が取り付けられている。
この固定板２０は、透明な合成樹脂製の部材によって構成されており、図３に示すように、裁断される側の端縁部２１のみを、不透明な色彩で着色している。スライダ３０は、固定板２０の端縁部２１に裁断刃３が位置するようにレール４０に取り付けられているので、着色された端縁部２１が裁断ラインと一致し、シート上の裁断位置を確認し易くすることができる。
【手続補正１６】
【補正対象書類名】明細書
【補正対象項目名】００２５
【補正方法】変更
【補正の内容】
【００２５】
裁断刃３が取り付けられる本体部３３は、基台部３１との間に介装された弾性部材３６によって上方に付勢されている。
本体部３３の側壁面３２には、円盤状の裁断刃３が刃面が壁面に接した状態で収容されている。この側壁面３２は、裁断刃３を収容する凹状の収容部と、着脱操作部３５の回転軸に設けられた係止部と係合される被係止部とが設けられた側面部材の側壁面として構成されたものであるが、この側面部材には、本体部３３及び蓋部３４とは異なる色彩が付されている。
【手続補正１７】
【補正対象書類名】明細書
【補正対象項目名】００２７
【補正方法】変更
【補正の内容】
【００２７】
裁断刃３の位置に他の部位とは異なる色のラインが表れており、その部位が、固定板２０の裁断側の側縁部の位置に来るようにスライダ３０が配設されているので、固定板２０の側縁に沿って裁断されることが認識され易くなる。
これによって、裁断刃３の位置を誤認することによる裁断ミスを防止することができる。特に、透明な固定板２０の端縁部２１を、スライダ３０の側壁面３２の色彩と同一の色彩にて着色することによって、裁断ラインが直感的に理解されやすくなる。
【手続補正１８】
【補正対象書類名】明細書
【補正対象項目名】００３１
【補正方法】変更
【補正の内容】
【００３１】
そして、図６に示すロック操作を行なう。これによって、レール４０は支持体５０による付勢力に抗して押し下げられる。この際、図５（ｂ）に示すように、レール４０は、基台１０との間のリンク機構によって水平状態を維持しながら下降する。
このリンク機構によって、レール４０に取り付けられた固定板２０には下方向の押圧力が均一に水平方向に作用されるので、基盤１０上のシートを均一の押圧力で固定することができる。